(57)【要約】【課題】竪樋を竪樋支持具に仮止めすることができ、竪樋を竪樋支持具に取り付けた後も竪樋の位置調整が可能な竪樋支持構造を提供すること。【解決手段】竪樋本体１１の外面から突出する結合部１２を備えた竪樋１と、建物外壁に固定されて竪樋を支持する竪樋支持具２とを含む竪樋支持構造であって、結合部は、樹脂製で内部に鉄芯１３が内設されており、竪樋支持具は、固定部３と、段部４と、一対の挟持片５とを備え、竪樋支持具のいずれかの部位には磁石６が設けられ、竪樋支持具が、結合部と磁着している状態では竪樋の仮止めが可能であり、挟持片によって結合部を保持することにより、竪樋が竪樋支持具に固定される。【選択図】図１
2018162613.tif 000002
【特許請求の範囲】
【請求項１】
竪樋本体の外面から突出する結合部を備えた竪樋と、建物外壁に固定されて前記竪樋を支持する竪樋支持具とを含む竪樋支持構造であって、
前記結合部は、樹脂製で内部に鉄芯が内設されており、
前記竪樋支持具は、
建物の外壁に固定される固定部と、
前記固定部から建物外方側に向かって突出する段部と、
前記固定部の水平方向の両端部から前記竪樋と対向する側に向かって延びる一対の挟持片とを備え、
前記竪樋支持具のいずれかの部位には磁石が設けられ、
前記竪樋支持具が、前記結合部と磁着している状態では前記竪樋の仮止めが可能であり、
前記挟持片によって前記結合部を保持することにより、前記竪樋が前記竪樋支持具に固定されることを特徴とする竪樋支持構造。
【請求項２】
前記結合部は、前記竪樋本体の外面から突出し、竪樋本体の長手方向に沿って平行に延びる２つのリブと、前記リブの先端部に、対向する他方のリブとは反対方向で水平方向に向けて突出する係合爪を備え、
前記段部には磁石が設けられ、
前記結合部の前記２つのリブの間と前記段部の磁着により、前記竪樋が仮止めされることを特徴とする請求項１に記載の竪樋支持構造。
【請求項３】
前記結合部は、前記竪樋本体の外面から突出し、竪樋本体の長手方向に沿って平行に延びる２つのリブと、前記リブの先端部に、対向する他方のリブとは反対方向で水平方向に向けて突出する係合爪を備え、
前記一対の挟持片の先端部には磁石が設けられ、
前記結合部の係合爪と前記挟持片の先端部の磁着により、前記竪樋が仮止めされることを特徴とする請求項１に記載の竪樋支持構造。
【請求項４】
前記一対の挟持片の先端部には、各々内側に向けて突出する爪部を備え、
前記係合爪と前記爪部が係合して、前記竪樋が前記竪樋支持具に固定されることを特徴とする請求項１から３のいずれかに記載の竪樋支持構造。
【発明の詳細な説明】
【技術分野】
【０００１】
本発明は、竪樋支持構造に関する。
【背景技術】
【０００２】
従来より、竪樋と、建物外壁に固定されて竪樋を支持する竪樋支持具とを備えた竪樋支持構造が知られている。
【０００３】
例えば、特許文献１の竪樋支持構造では、竪樋に設けられた結合部（突条係止リブの係止部）と竪樋支持具（樋係着部材）の両端の係止片とを係合させることで、竪樋を竪樋支持具に取り付けている。また、この竪樋支持構造では、竪樋支持具（樋係着部材）の中央に設けられた係合片が竪樋の突条係止リブの間に挿入されて係合溝部と対峙している。
【先行技術文献】
【特許文献】
【０００４】
【特許文献１】特開２０００−２４８６９９号公報
【発明の概要】
【発明が解決しようとする課題】
【０００５】
しかしながら、特許文献１の竪樋支持構造の場合、竪樋支持具の両端の係止片と中央に設けられた係合片とによって竪樋の結合部を強く保持する構造であるため、一旦、竪樋を竪樋支持具に取り付けると、竪樋の位置調整を行うのが難しいという問題があった。
【０００６】
本発明は、上記従来の問題点に鑑みてなされたものであり、竪樋を竪樋支持具に仮止めすることができ、竪樋を竪樋支持具に取り付けた後も竪樋の位置調整が可能な竪樋支持構造を提供することを課題としている。
【課題を解決するための手段】
【０００７】
本発明は、上記の課題を解決するために、以下のことを特徴としている。
【０００８】
すなわち、本発明の竪樋支持構造は、竪樋本体の外面から突出する結合部を備えた竪樋と、建物外壁に固定されて前記竪樋を支持する竪樋支持具とを含む竪樋支持構造であって、前記結合部は、樹脂製で内部に鉄芯が内設されており、前記竪樋支持具は、建物の外壁に固定される固定部と、前記固定部から建物外方側に向かって突出する段部と、前記固定部の水平方向の両端部から前記竪樋と対向する側に向かって延びる一対の挟持片とを備え、前記竪樋支持具のいずれかの部位には磁石が設けられ、前記竪樋支持具が、前記突出部と磁着している状態では前記竪樋の仮止めが可能であり、前記挟持片によって前記結合部を保持することにより、前記竪樋が前記竪樋支持具に固定されることを特徴としている。
【発明の効果】
【０００９】
本発明の竪樋支持構造によれば、竪樋を竪樋支持具に仮止めすることができ、竪樋を竪樋支持具に取り付けた後も竪樋の位置調整を行うことができる。
【図面の簡単な説明】
【００１０】
【図１】本発明の竪樋支持構造の一実施形態を例示した斜視図である。
【図２】図１に示す竪樋支持具の一実施形態を示した斜視図である。
【図３】図１に示す竪樋支持具の他の実施形態を示した斜視図である。
【図４】図１、図２に示す竪樋支持構造の一実施形態において、竪樋を竪樋支持具に仮止めした状態を示す水平方向の断面図である。
【図５】図４に示す実施形態において、竪樋を竪樋支持具に固定した状態を示す水平方向の断面図である。
【図６】図１、図３に示す竪樋支持構造の一実施形態において、竪樋を竪樋支持具に仮止めした状態を示す水平方向の断面図である。
【図７】図６に示す実施形態において、竪樋を竪樋支持具に固定した状態を示す水平方向の断面図である。
【図８】本発明の竪樋支持構造の他の実施形態において、竪樋を竪樋支持具に仮止めした状態を示す水平方向の断面図である。
【図９】図８に示した実施形態において、竪樋を竪樋支持具に固定した状態を示す水平方向の断面図である。
【発明を実施するための形態】
【００１１】
図１は、本発明の竪樋支持構造の一実施形態を例示した斜視図である。図２は、図１に示す竪樋支持具の一実施形態を示した斜視図である。図３は、図１に示す竪樋支持具の他の実施形態を示した斜視図である。
【００１２】
本実施形態の竪樋支持構造は、竪樋本体１１の外面から突出する結合部１２を備えた竪樋１と、建物外壁に固定されて竪樋１を支持する竪樋支持具２とを含む。
【００１３】
結合部１２は、樹脂製で内部に鉄芯１３が内設されている。また、竪樋支持具２は、建物の外壁に固定される固定部３と、固定部３から建物外方側に向かって突出する段部４と、固定部３の水平方向の両端部から竪樋１と対向する側に向かって延びる一対の挟持片５とを備えている。また、竪樋支持具２のいずれかの部位には磁石６が設けられている。
【００１４】
そして、竪樋支持具２が結合部１２と磁着している状態では竪樋１の仮止めが可能であり、挟持片５によって結合部１２を保持することにより、竪樋１が竪樋支持具２に固定される。
【００１５】
本実施形態の竪樋支持構造では、結合部１２は、竪樋本体１１の外面から突出し、竪樋本体１１の長手方向に沿って平行に延びる２つのリブ１２ａを備えていることが好ましい。また、リブ１２ａの先端部に、対向する他方のリブ１２ａとは反対方向で水平方向に向けて突出する係合爪１２ｂを備えていることが好ましい。また、段部４には磁石６が設けられ、結合部１２の２つのリブ１２ａの間と段部４の磁着により、竪樋１が仮止めされることが好ましい。
【００１６】
また、他の本実施形態の竪樋支持構造では、一対の挟持片５の先端部には磁石６が設けられ、結合部１２の係合爪１２ｂと挟持片５の先端部の磁着により、竪樋１が仮止めされることが好ましい。
【００１７】
さらに、一対の挟持片５の先端部には、各々内側に向けて突出する爪部５１を備え、係合爪１２ｂと爪部５１が係合して、竪樋１が竪樋支持具２に固定されることが好ましい。
【００１８】
以下、本発明の竪樋支持構造の一実施形態について図面とともに詳しく説明する。
【００１９】
竪樋１は、図１に示すように、竪樋本体１１と結合部１２とを備えている。竪樋本体１１は、縦長の略円筒状に形成されており、結合部１２は、樹脂製で内部に鉄芯１３が内設されている。結合部１２の材質は樹脂製であれば特に限定されるものではなく、竪樋１と同様の樹脂であっても、それ以外の樹脂であっても構わない。また、結合部１２は竪樋１と一体に成形されていても、別体に成形されて竪樋１と接合されていてもよい。
【００２０】
また、結合部１２は、竪樋本体１１の外面から突出する２つのリブ１２ａが互いに対向している。リブ１２ａは竪樋本体１１の長手方向に沿って延びており、互いに平行である。リブ１２ａの先端部には、対向する他方のリブ１２ａとは反対方向かつ水平方向に突出する係合爪１２ｂが設けられている。
【００２１】
結合部１２の内部に内設される鉄芯１３は、竪樋支持具２に設けられた磁石６と磁着して竪樋１を仮止めするために内設される部材であり、内設する位置は、竪樋支持具２に設けられる磁石６の位置に応じて適宜決定することができる。具体的には、２つのリブ１２ａの間の内部や、係合爪１２ｂの内部が例示される。また、鉄芯１３は、長尺の鉄芯１３を竪樋本体１１の長手方向に沿って内設してもよいし、短尺の鉄芯１３を竪樋本体１１の長手方向に沿って部分的に内設してもよい。
【００２２】
本実施形態の竪樋支持具２は、図２、図３に示すように、固定部３と、段部４と、一対の挟持片５とを備えている。固定部３は、竪樋支持具２を建物外壁に固定するために設けられ、矩形形状を有している。
【００２３】
段部４は、固定部３の中央部から建物外方側に向かって突出するように形成され、段部４の先端側には、当接面４２が形成されている。段部４の突出寸法は、竪樋１を固定した状態において、当接面４２が結合部１２の外面に当接する寸法に設定されている。
【００２４】
また、段部４には、ネジ等の固定具を挿入するための固定部３まで貫通する挿入孔４１が形成されており、固定部３を建物外壁に当接させ、挿入孔４１に固定具を挿入することで建物外壁に竪樋支持具２を固定することができる。
【００２５】
挟持片５は、固定部３の水平方向の両端部から竪樋１と対向する側に向かって延びるように左右に一対設けられている。また、一対の挟持片５は互いに略平行であり、先端部には、各々内側に向かって屈曲する爪部５１が形成されている。一対の挟持片５の間隔は、竪樋１の結合部１２の係合爪１２ｂと係合可能な間隔である。また、挟持片５の材質は、固定のための強度を有するとともに、係合爪１２ｂに爪部５１が係りやすいように多少撓る材質で形成するのが望ましい。
【００２６】
本実施形態の竪樋支持具２においては、竪樋支持具２のいずれかの部位に磁石６が設けられている。磁石６は、竪樋１を仮止めするために設けられる部材であり、結合部１２の内部に内設される鉄芯１３に対して磁着できれば、種類や大きさ、配設位置は特に限定されるものではない。磁石６の種類としては、例えば、フェライト磁石、アルニコ磁石、サマリウムコバルト磁石、ネオジム磁石等を例示することができる。これらの中でも、安定した仮止めのための磁着強度を考慮した場合、ネオジム磁石を好適に用いることができる。
【００２７】
配設位置としては、例えば、段部４に設けたり、固定部３の一対の挟持片５の先端部に設けることができる。磁石６を段部４に設ける実施形態では、図２に示すように、磁石６を段部４内に内設したり、図４、図５に示すように、磁石６を段部４の先端側表面に露出するように設けることができる。
【００２８】
また、磁石６を固定部３の一対の挟持片５の先端部に設ける実施形態では、図３に示すように、挟持片５の先端部の表面に露出するように設けてもよいし、挟持片５の先端部に内設してもよい。
【００２９】
図４は、図１、図３に示した竪樋支持構造の一実施形態において、竪樋１を竪樋支持具２に仮止めした状態を示した水平方向の断面図である。また、図５は、図４に示した実施形態において、竪樋１を竪樋支持具２に固定した状態を示した水平方向の断面図である。
【００３０】
図４に示す状態では、竪樋支持具２の片方の挟持片５の爪部５１が、竪樋１の結合部１２の片方のリブ１２ａの位置に嵌った状態で、段部４の先端側表面に設けた磁石６の磁力により竪樋１を仮止めしている。
【００３１】
この状態は、竪樋支持具２の左右の挟持片５の爪部５１が、結合部１２の左右の係合爪１２ｂと係合して固定されておらず、結合部１２に内設された鉄芯１３と、段部４の先端側表面に設けられた磁石６との磁着力のみにより保持された仮止めの状態である。そのため、竪樋１を上下に動かすことができ、位置調整を容易に行うことができる。なお、竪樋１の「仮止め」とは、竪樋支持具２に設けられた磁石６の磁力により竪樋１を磁着して保持しているが、竪樋１を上下に動かすことができる状態をいう。
【００３２】
次に、竪樋１が仮止めされた状態（図４の状態）から、竪樋支持具２の左右の挟持片５の爪部５１と、結合部１２の左右の係合爪１２ｂとを各々係合させる。これにより、図５に示すように、段部４の当接面４２が結合部１２の２つのリブ１２ａの間の結合部１２外面と当接し、竪樋１は、一対の挟持片５の左右の爪部５１と段部４の当接面４２との３点によって安定に固定される。
【００３３】
図６は、図１、図３に示した竪樋支持構造の一実施形態において、竪樋１を竪樋支持具２に仮止めした状態を示した水平方向の断面図である。また、図７は、図６に示した実施形態において、竪樋１を竪樋支持具２に固定した状態を示した水平方向の断面図である。
【００３４】
図６に示す状態では、竪樋支持具２の左右の挟持片５先端部表面に設けた磁石６の磁力により竪樋１を仮止めしている。
【００３５】
この状態は、竪樋支持具２の左右の挟持片５の爪部５１が、結合部１２の左右の係合爪１２ｂと係合して固定されておらず、結合部１２の爪部５１に内設された鉄芯１３と、段部４の先端部表面に設けた磁石６との磁着力のみにより保持された仮止めの状態である。そのため、竪樋１を上下に動かすことができ、位置調整を容易に行うことができる。
【００３６】
次に、竪樋１が仮止めされた状態（図６の状態）から、竪樋１を建物の外壁面側に押し付けて、竪樋支持具２の左右の挟持片５の爪部５１と、結合部１２の左右の係合爪１２ｂとを各々係合させる。これにより、図７に示すように、段部４の当接面４２が結合部１２の２つのリブ１２ａの間の結合部１２外面と当接し、竪樋１は、一対の挟持片５の左右の爪部５１と段部４の当接面４２との３点によって安定に固定される。
【００３７】
本実施形態の竪樋支持構造では、図４、図６に示す竪樋１の仮止め状態から、竪樋支持具２の左右の挟持片５の爪部５１と、結合部１２の左右の係合爪１２ｂとを各々係合させるだけで、竪樋１を固定することができる（図５、図７）。そのため、竪樋１の仮止め状態で位置調整を行った後、竪樋１を固定する作業をスムーズに行うことができる。
【００３８】
以上、本発明の竪樋支持構造を一実施形態に基づいて説明したが、本発明は上記の実施形態に限定されるものではなく、その要旨を逸脱しない範囲内において種々の変形、変更が可能である。
【００３９】
例えば、上記実施形態では、竪樋１の結合部１２には、竪樋本体１１の長手方向に沿って延びるリブ１２ａと、各々のリブ１２ａの先端部から左右に突出する係合爪１２ｂからなる結合部１２を設けたが、他の形状の結合部１２とすることもできる。
【００４０】
具体的には、例えば、図８に示すように、竪樋１の結合部１２が、竪樋本体１１から突出する接続部１２ｃと、接続部１２ｃの突出方向と直交させ、垂直方向に長尺な板状部１２ｄとを設けた結合部１２とすることができる。なお、板状部１２ｄの内部には鉄芯１３が内設されている。
【００４１】
図８に示す、竪樋１の板状部１２ｄの表面が、竪樋支持具２の左右の挟持片５先端部表面に設けた磁石６の磁力により保持されている仮止めの状態では、挟持片５の爪部５１が、結合部１２の係合爪１２ｂと係合されていない。
【００４２】
したがって、この状態では、竪樋１は、板状部１２ｄの内部に内設された鉄芯１３と、段部４の先端部表面に設けた磁石６との磁着力のみにより保持された仮止めされており、竪樋１を上下に動かすことができるため、位置調整を容易に行うことができる。
【００４３】
そして、図８に示す竪樋１の仮止め状態から、竪樋１を建物の外壁面側に押し付けて、竪樋支持具２の左右の挟持片５の爪部５１と、結合部１２の左右の端部とを各々係合させる。これにより、図９に示すように、段部４の当接面４２が結合部１２の板状部１２ｄと当接するため、竪樋１は、挟持片５の左右の爪部５１と段部４の当接面４２との３点によって安定に固定される。
【００４４】
即ち、本実施形態の樋支持構造においても、図８に示す竪樋１の仮止め状態から、竪樋支持具２の左右の挟持片５の爪部５１と、結合部１２の左右の端部とを各々係合させるだけで、竪樋１を固定することができる（図９）。そのため、竪樋１の仮止め状態で位置調整を行った後、竪樋１を固定する作業をスムーズに行うことができる。
【符号の説明】
【００４５】
１    竪樋
１１  竪樋本体
１２  結合部
１２ａ  リブ
１２ｂ  係合爪
１３  鉄芯
２  竪樋支持具
３  固定部
４  段部
５  挟持片
５１  爪部
６  磁石
【図１】
2018162613.tif 000003
【図２】
2018162613.tif 000004
【図３】
2018162613.tif 000005
【図４】
2018162613.tif 000006
【図５】
2018162613.tif 000007
【図６】
2018162613.tif 000008
【図７】
2018162613.tif 000009
【図８】
2018162613.tif 000010
【図９】
2018162613.tif 000011